(57)【要約】【課題】Ｒｅｌ−１２ＣＱＩテーブルが設定されている場合に、差分ＣＱＩを用いることで、精度の高いＣＱＩを通知する。【解決手段】Ｒｅｌ−１２ＣＱＩテーブルにおいて削除されたインデックスを含むＣＱＩテーブルを定義し、該テーブルによって得られたワイドバンドＣＱＩインデックスと、サブバンド毎のインデックスとの差を差分ＣＱＩ値として基地局装置に通知する。【選択図】図９
2015185888.tif 000002
【特許請求の範囲】
【請求項１】
ワイドバンドＣＱＩと複数のサブバンドＣＱＩを基地局装置に報告する移動局装置であって、
第１のＣＱＩテーブルを構成する複数のＣＱＩインデックスのそれぞれは変調方式と符号化率の組み合わせに対応し、
前記第１のＣＱＩテーブルの変調方式と符号化率の組み合わせに対して周波数利用効率の低い順にＣＱＩインデックスが対応付けられ、
前記第１のＣＱＩテーブルに構成される第１の周波数利用効率の変調方式と符号化率の組み合わせと、第２の周波数利用効率の変調方式と符号化率の組み合わせであって、
前記第１のＣＱＩテーブルにおいて前記第１の周波数利用効率の変調方式と符号化率の組み合わせに対応するＣＱＩインデックスと前記第２の周波数利用効率の変調方式と符号化率の組み合わせに対応するＣＱＩインデックスは連続し、
前記第１のＣＱＩテーブルに構成されない第３の周波数利用効率の変調方式と符号化率の組み合わせであって、
前記第３の周波数利用効率は前記第１の周波数利用効率より高く、前記第２の周波数利用効率より低く、
第２のＣＱＩテーブルは前記第１のＣＱＩテーブルを構成する周波数利用効率の変調方式と符号化率の組み合わせの全てと、少なくとも前記第３の周波数利用効率の変調方式と符号化率の組み合わせとから構成され、
前記第２のＣＱＩテーブルの変調方式と符号化率の組み合わせに対して周波数利用効率の低い順にＣＱＩインデックスが対応付けられ、
前記ワイドバンドＣＱＩが対応するＣＱＩインデックスを前記第１のＣＱＩテーブルに基づき選択し、
複数のサブバンドのそれぞれに対して前記サブバンドＣＱＩが対応するＣＱＩインデックスを前記第２のＣＱＩテーブルに基づき選択し、
前記ワイドバンドＣＱＩが対応するＣＱＩインデックスを前記第２のＣＱＩテーブルに基づき選択し、
前記第２のＣＱＩテーブルに基づき選択された前記サブバンドＣＱＩが対応するＣＱＩインデックスと、前記第２のＣＱＩテーブルに基づき選択された前記ワイドバンドＣＱＩが対応するＣＱＩインデックスとのインデックスの差分である差分ＣＱＩ値を前記複数のサブバンドのそれぞれに対して計算するＣＱＩ生成部と、
前記第１のＣＱＩテーブルに基づき選択された前記ワイドバンドＣＱＩが対応するＣＱＩインデックスと、前記複数のサブバンドのそれぞれに対して計算された複数の前記差分ＣＱＩ値とを、基地局装置に送信する送信部とを備えることを特徴とする移動局装置。
【請求項２】
前記第１の周波数利用効率の変調方式と符号化率の組み合わせは、変調方式がＱＰＳＫであり、符号化率が78/1024であり、
前記第２の周波数利用効率の変調方式と符号化率の組み合わせは、変調方式がＱＰＳＫであり、符号化率が193/1024であり、
前記第３の周波数利用効率の変調方式と符号化率の組み合わせは、変調方式がＱＰＳＫであり、符号化率が120/1024であることを特徴とする請求項１記載の移動局装置。
【請求項３】
前記第１の周波数利用効率の変調方式と符号化率の組み合わせは、前記第１のＣＱＩテーブルにおいてＣＱＩインデックス１に対応し、前記第２のＣＱＩテーブルにおいてＣＱＩインデックス１に対応し、
前記第２の周波数利用効率の変調方式と符号化率の組み合わせは、前記第１のＣＱＩテーブルにおいてＣＱＩインデックス２に対応し、前記第２のＣＱＩテーブルにおいてＣＱＩインデックス３に対応し、
前記第３の周波数利用効率の変調方式と符号化率の組み合わせは、前記第２のＣＱＩテーブルにおいてＣＱＩインデックス２に対応することを特徴とする請求項１記載の移動局装置。
【請求項４】
前記差分ＣＱＩ値は、オフセットレベルが０、＋１、＋２以上、−１以下の何れかを示すことを特徴とする請求項１記載の移動局装置。
【発明の詳細な説明】
【技術分野】
【０００１】
本発明は、端末装置に関する。
【背景技術】
【０００２】
近年のスマートフォン等の普及により、高速無線伝送の要求が高まっている。標準化団体の１つである３ＧＰＰ（The Third Generation Partnership Project）では、ＬＴＥ（Long Term Evolution）の仕様化を行なっており、現在はＲｅｌ−１１（Release 11）の仕様化がほぼ終了し、Ｒｅｌ−１２の仕様化が行われている。
【０００３】
Ｒｅｌ−１１までのＬＴＥのダウンリンクでは、変調方式として、ＱＰＳＫ（Quadrature Phase Shift Keying）、１６ＱＡＭ（Quadrature Amplitude Modulation）および６４ＱＡＭがサポートされる。ＱＰＳＫでは１変調シンボルで２ビットを送信可能であり、１６ＱＡＭでは１変調シンボルで４ビットを送信可能であり、６４ＱＡＭでは１変調シンボルで６ビットを送信可能である。つまり、ＱＰＳＫよりも１６ＱＡＭの方が周波数利用効率が高く、さらに１６ＱＡＭよりも６４ＱＡＭの方が周波数利用効率が高い。その一方、１変調シンボル中のビット数が多くなるに従い、ビット誤りが発生しやすくなる。ＬＴＥでは、基地局装置（ｅＮＢ、evolved Node B）と端末装置（ＵＥ、User Equipment）との間のチャネル状態によって、適応的に変調方式が選択される、適応変調と呼ばれる技術が採用されている。なお、ＬＴＥでは変調方式に加えて誤り訂正符号の符号化率も適応的に変更される。例えば、基地局装置が送信した参照信号に基づき端末装置がダウンリンクのチャネル状態を推定し、端末装置が推定したチャネル状態に基づき生成したチャネル品質情報（チャネル品質指標）（ＣＱＩ、Channel Quality indicator）を基地局装置に通知する。端末装置はＣＱＩテーブルと呼ばれる４ビット（１６値）のＣＱＩからなるテーブルを有しており、推定したＣＱＩに最も近いＣＱＩテーブルの値に関連付けられたインデックスを基地局装置に通知する。基地局装置は端末装置と同様のＣＱＩテーブルを有しており、通知されたＣＱＩインデックスから対応するＣＱＩを判断し、判断したＣＱＩを考慮して変調方式および符号化率（ＭＣＳ，Modulation and Coding scheme）を選択し、選択したＭＣＳを用いてダウンリンクの伝送を行う。また、基地局装置はＭＣＳテーブルと呼ばれるテーブルを有しており、ＭＣＳテーブルに含まれるＭＣＳのいずれかを選択し、選択したＭＣＳのインデックスを端末装置に通知するとともに、通知したＭＣＳを用いて生成されたＰＤＳＣＨ（Physical Downlink Shared CHannel）を用いたデータ伝送を行う。ここでＬＴＥにおけるＭＣＳテーブルは、変調方式と符号化率を規定する代わりに、変調方式とＴＢＳ（Transport Block Size）と呼ばれる値を規定している。ＴＢＳと割り当てられた無線リソースから、符号化率が決定されることになる。端末装置は基地局装置と同様のＭＣＳテーブルを有しており、通知されたＭＣＳインデックスから対応するＭＣＳを判断し、判断したＭＣＳを用いてＰＤＳＣＨの復調処理、復号処理を行う。このようにＬＴＥでは、チャネル状態に応じてＭＣＳが適応的に選択されることにより、高いスループットを実現することができる。
【０００４】
また、ＬＴＥのＲｅｌ−１２において、１変調シンボルで８ビットを送信可能な２５６ＱＡＭを導入することが検討されている。Ｒｅｌ−１１のＬＴＥでは、６４ＱＡＭまでを想定したＣＱＩテーブル、ＭＣＳテーブルしか仕様化されていない。したがって、既存の仕様では、基地局装置は、２５６ＱＡＭを想定したＭＣＳの制御情報をＰＤＣＣＨ（Physical Downlink Control CHannel）を用いて端末装置に通知することができない。また、既存の仕様では、端末装置は、２５６ＱＡＭを想定したＣＱＩを基地局装置に通知することができない。そこで、ＬＴＥのＲｅｌ−１２において、２５６ＱＡＭのサポートを想定したＣＱＩテーブルとＭＣＳテーブル（以降、Ｒｅｌ−１２ＣＱＩテーブルおよびＲｅｌ−１２ＭＣＳテーブル）の仕様化が検討されている。
【０００５】
Ｒｅｌ−１２の標準化では、Ｒｅｌ−１２で新しく導入されるＣＱＩテーブルおよびＭＣＳテーブル（以降、Ｒｅｌ−１２ＣＱＩテーブルおよびＲｅｌ−１２ＭＣＳテーブル）のインデックスを通知するためのビット数は、Ｒｅｌ−１１までのＣＱＩテーブルおよびＭＣＳテーブル（以降、Ｒｅｌ−８ＣＱＩテーブルおよびＲｅｌ−８ＭＣＳテーブル）と同様にそれぞれ４ビットおよび５ビットとすることが合意されている。ここで、新しいＣＱＩテーブルのインデックスを通知するためのビット数を既存のＣＱＩテーブルのインデックスを通知するためのビット数から変えることなく２５６ＱＡＭのサポートを行うには、新しいＣＱＩテーブルにおいて既存の仕様（例えば、Ｒｅｌ−８）でサポートされているＣＱＩの何れかを含めないようにする必要がある。ここで、新しいＭＣＳテーブルのインデックスを通知するためのビット数を既存のＭＣＳテーブルのインデックスを通知するためのビット数から変えることなく２５６ＱＡＭのサポートを行うには、新しいＭＣＳテーブルにおいて既存の仕様（例えば、Ｒｅｌ−８）でサポートされているＭＣＳの何れかを含めないようにする必要がある。
【０００６】
Ｒｅｌ−１２の標準化における検討では、既存の仕様のＣＱＩテーブルでサポートされているＣＱＩに関して、最も周波数利用効率の低いＣＱＩインデックスは新しいＣＱＩテーブルにサポートしつつ、既存の仕様のＣＱＩテーブルでサポートされている周波数利用効率の低いＣＱＩインデックス（最も周波数利用効率の低いＣＱＩを除く）に関して、いくつかのＣＱＩインデックスは新しいＣＱＩテーブルに対してサポートせず、その分の情報量を２５６ＱＡＭをサポートするためのＣＱＩインデックスに用いることが検討されている（非特許文献１）。これにより、急激な伝搬路の変化にある程度追従したＣＱＩを通知できるため、高いスループットを実現することができる。
【先行技術文献】
【非特許文献】
【０００７】
【非特許文献１】R1-140555, Nokia, NSN, “On CQI/MCS/TBS table design for 256QAM,”Prague, Czech Republic, Feb. 2014.
【発明の概要】
【発明が解決しようとする課題】
【０００８】
異なるタイプのＣＱＩとして、ワイドバンドＣＱＩとサブバンドＣＱＩが存在する。ワイドバンドＣＱＩは、システム帯域全体のＣＱＩを表す。システム帯域は、サブバンドと呼ばれる単位に分割される。サブバンドＣＱＩは、サブバンドのＣＱＩを表す。
【０００９】
また差分値を用いてＣＱＩが通知される場合がある。例えば、ワイドバンドＣＱＩはＣＱＩテーブルの絶対値（ＣＱＩテーブルの対応するＣＱＩインデックスを直接的に示す方法）で示され、サブバンドＣＱＩはワイドバンドＣＱＩに対する差分値（ＣＱＩテーブルにおいて、通知されるあるＣＱＩが対応するＣＱＩのＣＱＩインデックスを、通知される他のＣＱＩが対応するＣＱＩのＣＱＩインデックスからの差分値（オフセットレベル）でＣＱＩインデックスを間接的に示す方法）で示される。他にも例えば、第一のコードワード（ｃｏｄｅｗｏｒｄ０）に対するワイドバンドＣＱＩはＣＱＩテーブルの絶対値で示され、第二のコードワード（ｃｏｄｅｗｏｒｄ１）に対するワイドバンドＣＱＩは第一のコードワード（ｃｏｄｅｗｏｒｄ０）に対するワイドバンドＣＱＩに対する差分値で示される。
【００１０】
しかしながら、既存の仕様では、差分値を用いたＣＱＩの通知方法はＣＱＩテーブルが１種類だけ用いられる場合しか想定されていない。新しいＣＱＩテーブルを使って既存の仕様と同様の差分を用いたＣＱＩの通知方法を用いると、差分値で示されるＣＱＩも新しいＣＱＩテーブルで示すことができるＣＱＩしか表すことができない。ところで、上述のように、新しいＣＱＩテーブルでは、いくつかの周波数利用効率の低いＣＱＩインデックスが既存のＣＱＩテーブルから削除されている。つまり、新しいＣＱＩテーブルを用いた場合、新しいＣＱＩテーブルでサポートされず既存のＣＱＩテーブルではサポートされるＣＱＩ（ＣＱＩインデックス）は、差分値を用いたＣＱＩの通知方法であっても通知することができない。
【００１１】
本発明は、上記問題に鑑みてなされたものであり、その目的は、効率的にＣＱＩの通知を行うことで、スループットを増加させることである。
【課題を解決するための手段】
【００１２】
上述した課題を解決するために本発明に係る端末装置の構成は、次の通りである。
【００１３】
（１）上記課題を解決するために、本発明の一様態にかかる端末装置は、ワイドバンドＣＱＩと複数のサブバンドＣＱＩを基地局装置に報告する端末装置であって、第１のＣＱＩテーブルを構成する複数のＣＱＩインデックスのそれぞれは変調方式と符号化率の組み合わせに対応し、前記第１のＣＱＩテーブルの変調方式と符号化率の組み合わせに対して周波数利用効率の低い順にＣＱＩインデックスが対応付けられ、前記第１のＣＱＩテーブルに構成される第１の周波数利用効率の変調方式と符号化率の組み合わせと、第２の周波数利用効率の変調方式と符号化率の組み合わせであって、前記第１のＣＱＩテーブルにおいて前記第１の周波数利用効率の変調方式と符号化率の組み合わせに対応するＣＱＩインデックスと前記第２の周波数利用効率の変調方式と符号化率の組み合わせに対応するＣＱＩインデックスは連続し、前記第１のＣＱＩテーブルに構成されない第３の周波数利用効率の変調方式と符号化率の組み合わせであって、前記第３の周波数利用効率は前記第１の周波数利用効率より高く、前記第２の周波数利用効率より低く、第２のＣＱＩテーブルは前記第１のＣＱＩテーブルを構成する周波数利用効率の変調方式と符号化率の組み合わせの全てと、少なくとも前記第３の周波数利用効率の変調方式と符号化率の組み合わせとから構成され、前記第２のＣＱＩテーブルの変調方式と符号化率の組み合わせに対して周波数利用効率の低い順にＣＱＩインデックスが対応付けられ、前記ワイドバンドＣＱＩが対応するＣＱＩインデックスを前記第１のＣＱＩテーブルに基づき選択し、複数のサブバンドのそれぞれに対して前記サブバンドＣＱＩが対応するＣＱＩインデックスを前記第２のＣＱＩテーブルに基づき選択し、前記ワイドバンドＣＱＩが対応するＣＱＩインデックスを前記第２のＣＱＩテーブルに基づき選択し、前記第２のＣＱＩテーブルに基づき選択された前記サブバンドＣＱＩが対応するＣＱＩインデックスと、前記第２のＣＱＩテーブルに基づき選択された前記ワイドバンドＣＱＩが対応するＣＱＩインデックスとのインデックスの差分である差分ＣＱＩ値を前記複数のサブバンドのそれぞれに対して計算するＣＱＩ生成部と、前記第１のＣＱＩテーブルに基づき選択された前記ワイドバンドＣＱＩが対応するＣＱＩインデックスと、前記複数のサブバンドのそれぞれに対して計算された複数の前記差分ＣＱＩ値とを、基地局装置に送信する送信部とを備える。
【００１４】
（２）また、上記課題を解決するために、本発明の一様態にかかる端末装置は、前記第１の周波数利用効率の変調方式と符号化率の組み合わせは、変調方式がＱＰＳＫであり、符号化率が78/1024であり、前記第２の周波数利用効率変調方式と符号化率の組み合わせは、変調方式がＱＰＳＫであり、符号化率が193/ 1024であり、前記第３の周波数利用効率変調方式と符号化率の組み合わせは、変調方式がＱＰＳＫであり、符号化率が120/1024である。
【００１５】
（３）また、上記課題を解決するために、本発明の一様態にかかる端末装置は、前記第１の周波数利用効率の変調方式と符号化率の組み合わせは、前記第１のＣＱＩテーブルにおいてＣＱＩインデックス１に対応し、前記第２のＣＱＩテーブルにおいてＣＱＩインデックス1に対応し、前記第２の周波数利用効率の変調方式と符号化率の組み合わせは、前記第１のＣＱＩテーブルにおいてＣＱＩインデックス２に対応し、前記第２のＣＱＩテーブルにおいてＣＱＩインデックス３に対応し、前記第３の周波数利用効率の変調方式と符号化率の組み合わせは、前記第２のＣＱＩテーブルにおいてＣＱＩインデックス２に対応する。
【００１６】
（４）また、上記課題を解決するために、本発明の一様態にかかる端末装置は、前記差分ＣＱＩ値は、オフセットレベルが０、＋１，＋２以上、−１以下の何れかを示す。
【発明の効果】
【００１７】
この発明によれば、制御情報の増加を抑え、２５６ＱＡＭの適用を効率的にサポートすることができる。
【図面の簡単な説明】
【００１８】
【図１】本発明の第１の実施形態における無線通信システムの構成を示す概略ブロック図である。
【図２】本発明の第１の実施形態に係る端末装置の構成を示す概略ブロック図である。
【図３】本発明のＲｅｌ−８ＭＣＳテーブルの一例を示す図である。
【図４】本発明のＲｅｌ−１２ＭＣＳテーブルの一例を示す図である。
【図５】本発明のＲｅｌ−８ＣＱＩテーブルの一例を示す図である。
【図６】本発明のＲｅｌ−１２ＣＱＩテーブルの一例を示す図である。
【図７】第１の実施形態に係る従来のＣＱＩ生成部の構成を示す概略ブロック図である。
【図８】本発明の上位レイヤ設定モードにおけるサブバンド差分ＣＱＩ値とオフセットレベルの対応表である。
【図９】本発明の第１の実施形態に係るＣＱＩ生成部の構成を示す概略ブロック図である。
【図１０】本発明の高精度ＣＱＩテーブルの一例を示す図である。
【図１１】本発明の第１の実施形態に係る基地局装置の構成を示す概略ブロック図である。
【図１２】第１の実施形態に係る従来のＣＱＩ抽出部の構成を示す概略ブロック図である。
【図１３】本発明の第１の実施形態に係るＣＱＩ抽出部の構成を示す概略ブロック図である。
【図１４】本発明のＵＥ設定モードにおけるサブバンド差分ＣＱＩ値とオフセットレベルの対応表である。
【図１５】本発明の空間差分ＣＱＩ値とオフセットレベルの対応表である。
【図１６】本発明の第２の実施形態に係るＣＱＩ生成部の構成を示す概略ブロック図である。
【図１７】本発明の第２の実施形態に係るＣＱＩ抽出部の構成を示す概略ブロック図である。
【発明を実施するための形態】
【００１９】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ（登録商標））及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡである。ＬＴＥ−Ａは、ＬＴＥを改良したシステム、無線技術、規格である。ＵＴＲＡ、Ｅ−ＵＴＲＡ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００２０】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項がなくても実施され得ることが分かる。例えば、以下の詳細な説明は、移動通信システムが３ＧＰＰ  ＬＴＥ、ＬＴＥ―Ａシステムである場合を仮定して具体的に説明するが、３ＧＰＰ  ＬＴＥ、ＬＴＥ―Ａの特有の事項を除いては、他の任意の移動通信システムにも適用可能である。また、後述される用語は、本発明における機能を考慮して定義された用語で、ユーザ、運用者の意図または慣例などによって変わり得る。したがって、その用語は、本明細書全般にわたった内容に基づいて定義されるべきである。
【００２１】
実施形態を説明するにおいて本発明が属する技術分野に十分知られており、本発明と直接的に関係のない技術内容については説明を省略する。これは、不要な説明を省略することにより、本発明の要旨を不明瞭にせず、より明確に伝達するためである。よって、いくつかの場合、本発明の概念が曖昧になることを避けるために公知の構造及び装置は省略したり、各構造及び装置の核心機能を中心にしたブロック図の形式で図示したりすることができる。本発明の要旨を不明瞭にせず、より明確に伝達するため、図面において一部の構成要素は、誇張されたり省略されたり概略的に示される。また、各構成要素の大きさは、実際の大きさを反映するものではない。また、本明細書全体で同一の構成要素については同一の図面符号を使用して説明する。
【００２２】
明細書全体において、一つの部分が一つの構成要素を「含む」とするとき、これは、特別に反対の記載がない限り、他の構成要素を除外するのではなく、他の構成要素を更に含むことができることを意味する。さらに、詳細な説明または特許請求の範囲のいずれかで使用される“または”という用語は、排他的な“または”というよりむしろ、包含的な“または”を意味することを意図している。すなわち、そうではないと指定されていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；または、ＸがＡおよびＢの双方とも用いる。加えて、本出願および添付した特許請求の範囲で使用した冠詞“ａ”および“ａｎ”は、そうではないと指定されていない限り、または、単数形を意図する文脈から明らかでない限り、一般的に、“１つ以上”を意味すると解釈すべきである。また、明細書に記載された「…部」、「…器」、「モジュール」などの用語は、少なくとも一つの機能や動作を処理する単位を意味し、これは、ハードウェアやソフトウェア又はハードウェア及びソフトウェアの組合せで具現することができる。
【００２３】
併せて、以下の説明において、端末装置は、ユーザ装置（User Equipment: UE）、移動局（Mobile Station: MS, Mobile Terminal: MT）、移動局装置、移動端末、加入者ユニット、加入者局、ワイヤレス端末、移動体デバイス、ノード、デバイス、遠隔局、遠隔端末、ワイヤレス通信デバイス、ワイヤレス通信装置、ユーザエージェント、アクセス端末などの移動型又は固定型のユーザ端機器を総称するものとする。また、端末装置は、セルラ電話機、コードレス電話機、セッション開始プロトコル（SIP）電話機、スマートフォン、ワイヤレスローカルループ（WLL）局、パーソナルデジタルアシスタント（PDA）、タブレット、ラップトップ、ハンドヘルド通信デバイス、ハンドヘルドコンピューティングデバイス、衛星ラジオ、ワイヤレスモデムカード、ＵＳＢモデム、ルーター、および／または、ワイヤレスシステムを通して通信するための別の処理デバイスとすることができる。また、基地局装置は、ノードＢ（NodeB）、強化ノードＢ（eNodeB）、基地局、アクセスポイント（Access Point: AP）などの端末と通信するネットワーク端の任意のノードを総称するものとする。なお、基地局装置は、ＲＲＨ（Remote Radio Head、基地局装置より小型の屋外型の無線部を有する装置、Remote Radio Unit: RRUとも称す）（リモートアンテナ、分散アンテナとも呼称する。）を含むものとする。ＲＲＨは、基地局装置の特殊な形態とも言える。例えば、ＲＲＨは信号処理部のみを有し、他の基地局装置によってＲＲＨで用いられるパラメータの設定、スケジューリングの決定などが行われる基地局装置と言うことができる。
【００２４】
本発明の端末装置は、下記で説明する各種処理に関連した命令を保持するメモリと、前記メモリに結合され、前記メモリ中に保持された前記命令を実行するように構成された、プロセッサを備えた構成でもよい。本発明の基地局装置は、下記で説明する各種処理に関連した命令を保持するメモリと、前記メモリに結合され、前記メモリ中に保持された前記命令を実行するように構成された、プロセッサを備えた構成でもよい。
【００２５】
以下、本発明の実施形態について、図面を参照して詳細に説明する。下記でＣＳＩ（Channel State Information）とは、ランク数を示すＲＩ（Rank Indicator）と、プリコーディング行列のインデックスを示すＰＭＩ（Precoding Matrix Indicator）と、変調方式と符号化率の組み合わせを示すＣＱＩ（Channel Quality Indicator）とから構成される。
【００２６】
［第１の実施形態］
以下、図面を参照しながら、本発明の第１の実施形態について説明する。図１は、本実施形態における無線通信システムの構成の一例を示す。該システムは、基地局装置（マクロ基地局装置、スモール基地局装置、ピコ基地局装置、ｅＮＢ）１０１、端末装置１０２から構成される。各装置に構成されるアンテナポート数は１であっても複数であってもよい。ここで、アンテナポートとは、物理的なアンテナではなく、通信を行う装置が認識できる論理的なアンテナを指す。
【００２７】
なお、本実施形態において基地局装置１０１は、端末装置１０２に対して、６４ＱＡＭモード、または２５６ＱＡＭモードの設定を行う。ここで６４ＱＡＭモードとは、２５６ＱＡＭでのＰＤＳＣＨのデータ伝送を行うことが想定されないＭＣＳテーブル、ＣＱＩテーブル等を用いる設定を意味し、ＰＤＳＣＨに適用されるＭＣＳテーブルを構成する変調方式として２５６ＱＡＭが含まれない設定（構成）、あるいはＰＤＳＣＨに適用されるＭＣＳテーブルを構成する変調方式がＱＰＳＫ、１６ＱＡＭ、６４ＱＡＭから構成される設定（構成）、あるいはフィードバックに用いられるＣＱＩテーブルを構成する変調方式として２５６ＱＡＭが含まれない設定（構成）、あるいはフィードバックに用いられるＣＱＩテーブルを構成する変調方式がＱＰＳＫ、１６ＱＡＭ、６４ＱＡＭから構成される設定（構成）等を意味する。一方、２５６ＱＡＭモードとは、２５６ＱＡＭでのＰＤＳＣＨのデータ伝送を行うことが想定されたＭＣＳテーブル、ＣＱＩテーブル等を用いる設定を意味し、ＰＤＳＣＨに適用されるＭＣＳテーブルを構成する変調方式として２５６ＱＡＭが少なくとも含まれる設定（構成）、あるいはＰＤＳＣＨに適用されるＭＣＳテーブルを構成する変調方式がＱＰＳＫ、１６ＱＡＭ、６４ＱＡＭ、２５６ＱＡＭから構成される設定（構成）、あるいはフィードバックに用いられるＣＱＩテーブルを構成する変調方式として２５６ＱＡＭが含まれる設定（構成）、あるいはフィードバックに用いられるＣＱＩテーブルを構成する変調方式がＱＰＳＫ、１６ＱＡＭ、６４ＱＡＭ、２５６ＱＡＭから構成される設定（構成）等を意味する。
【００２８】
基地局装置１０１が送信した信号は、チャネルを経由し、端末装置１０２で受信される。図２に端末装置１０２の構成例を示す。受信アンテナ２００で受信された信号はＤＬ受信部２０１に入力され、ダウンコンバージョン、帯域制限フィルタリング、離散フーリエ変換等の処理を適用される。ＤＬ受信部２０１から出力された信号は、参照信号抽出部２０２に入力される。参照信号抽出部２０２では、基地局装置１０１が送信するＣＲＳ（Cell-specific Reference Signal）、ＣＳＩ−ＲＳ（Channel State Information Reference Signal）、ＤＭＲＳ（UE-specific Reference Signal、Demodulation Reference Signal）等の参照信号が配置されたリソースが抽出され、抽出された参照信号がチャネル推定部２０６に入力される。チャネル推定部２０６では、入力された受信参照信号（受信された参照信号）（抽出された参照信号）を用いて基地局装置１０１と端末装置１０２との間のチャネル状態（伝搬路状態）が推定される。推定されたチャネル状態の推定値は、ＣＱＩ生成部２０７に入力される。なお、図２では示していないが、推定されたチャネル状態の推定値は制御情報抽出部２０３とＰＤＳＣＨ復調部２０４にも入力され、ＰＤＣＣＨやＰＤＳＣＨに配置された信号の復調に用いられる。
【００２９】
参照信号抽出部２０２において抽出された参照信号以外の信号は、制御情報抽出部２０３に入力される。例えば、ＰＤＣＣＨに配置された信号が、制御情報抽出部２０３に入力される。制御情報抽出部２０３では、受信信号の中から制御情報（ダウンリンク制御情報、ＤＣＩフォーマット）に関する情報が抽出される。抽出された制御情報に含まれるＰＤＳＣＨのＭＣＳインデックスに関する情報はＰＤＳＣＨ復調部２０４に入力される。ここで、ＭＣＳインデックスとは、ＭＣＳテーブル内のＭＣＳの指定に用いるインデックスである。
【００３０】
制御情報抽出部２０３の出力はＰＤＳＣＨ復調部２０４に入力される。例えば、ＰＤＳＣＨに配置された信号がＰＤＳＣＨ復調部２０４に入力される。ＰＤＳＣＨ復調部２０４では、制御情報抽出部２０３から入力されるＭＣＳ情報（ＭＣＳインデックス、ＭＣＳインデックスに関する情報）に基づいて、ＰＤＳＣＨの復調を行う。このとき、ＰＤＳＣＨ復調部２０４は、ＲＲＣ設定部２０８から入力される変調モード設定（６４ＱＡＭモード、２５６ＱＡＭモード）に基づいて参照するＭＣＳテーブルを選択し、選択されたＭＣＳテーブルと通知されたＭＣＳインデックスからＭＣＳを判定し、判定したＭＣＳを復調に用いる。例えば、ＰＤＳＣＨ復調部２０４は、６４ＱＡＭモードが設定されている場合、図３のＲｅｌ−８ＭＣＳテーブルに基づいてＭＣＳインデックスからＭＣＳの判定を行い、２５６ＱＡＭモードが設定されている場合、図４のＲｅｌ−１２ＭＣＳテーブルに基づいてＭＣＳインデックスからＭＣＳの判定を行う。また、ＰＤＳＣＨ復調部２０４は、６４ＱＡＭモードが設定されているサブフレーム（ダウンリンクサブフレーム、サブフレームセット）においては図３のＲｅｌ−８ＭＣＳテーブルに基づいてＭＣＳインデックスからＭＣＳの判定を行い、２５６ＱＡＭモードが設定されているサブフレーム（ダウンリンクサブフレーム、サブフレームセット）においては図４のＲｅｌ−１２ＭＣＳテーブルに基づいてＭＣＳインデックスからＭＣＳの判定を行う。各サブフレームに対して設定される変調モード設定が、ＲＲＣ設定部２０８より示される。
【００３１】
ＰＤＳＣＨ復調部２０４の出力は、ＲＲＣ抽出部２０８に入力される。ＲＲＣ抽出部２０８では、入力された信号にＲＲＣシグナリングが含まれる場合、ＲＲＣシグナリングを抽出し、抽出したＲＲＣシグナリングをＲＲＣ設定部２０８に入力する。ＲＲＣ設定部２０８は、ＲＲＣシグナリングによって基地局装置が伝送した制御情報を用いて端末装置１０２の各処理部を制御する。つまり、制御パラメータを設定する処理を行う。例えば、ＲＲＣ設定部２０８は、ＲＲＣシグナリングによって通知された変調モード設定に基づき、６４ＱＡＭモードを適用するサブフレーム（サブフレームセット）と２５６ＱＡＭモードを適用するサブフレーム（サブフレームセット）を判断する。
【００３２】
ＣＱＩ生成部２０７は、チャネル推定部２０６から入力されるチャネル推定値とＲＲＣ設定部２０８から入力される変調モード設定（６４ＱＡＭモードか２５６ＱＡＭモードかの設定）を用いて、ＣＱＩに関する情報（例えばＣＱＩインデックス）を生成する。ここでＣＱＩとは、システム帯域全体のＣＱＩであるワイドバンドＣＱＩと、システム帯域を複数のサブバンドに分割した際のサブバンド毎のＣＱＩであるサブバンドＣＱＩを含む。ＣＱＩ生成部２０７は、入力された変調モード設定に基づき、ＣＱＩインデックスの生成に用いるＣＱＩテーブルを選択する。ＣＱＩ生成部２０７は、入力されたチャネル推定値に基づき、あるＣＱＩテーブルの何れかのＣＱＩインデックスを選択する。ＣＱＩ生成部２０７は、６４ＱＡＭモードが設定されたサブフレーム（ダウンリンクサブフレーム、サブフレームセット、ダウンリンクサブフレームセット）に対しては、図５のＲｅｌ−８ＣＱＩテーブルによってチャネル推定値から得られるＣＱＩを量子化し、所定の誤り率となるＣＱＩインデックスを選択し、選択したＣＱＩインデックスをＰＵＣＣＨ生成部２０９、またはＰＵＳＣＨ生成部２１０に入力する。ＣＱＩ生成部２０７は、２５６ＱＡＭモードが設定されたサブフレーム（ダウンリンクサブフレーム、サブフレームセット、ダウンリンクサブフレームセット）に対しては、図６のＲｅｌ−１２ＣＱＩテーブルによってチャネル推定値から得られるＣＱＩを量子化し、所定の誤り率が得られるＣＱＩインデックスを選択し、選択したＣＱＩインデックスをＰＵＣＣＨ生成部２０９、またはＰＵＳＣＨ生成部２１０に入力する。ＣＳＩの通知は、周期的に通知する方法と非周期的に通知する方法がある。周期的ＣＳＩ（Periodic CSI、Ｐ−ＣＳＩ）の送信にはＰＵＣＣＨ、またはＰＵＳＣＨが用いられる。非周期的ＣＳＩの送信には、ＰＵＳＣＨが用いられる。
【００３３】
ここで、サブバンドＣＱＩの通知に、差分ＣＱＩが用いられた場合のＣＱＩ生成部２０７の処理について説明する。なお、サブバンドＣＱＩの通知法としては、利用可能な全サブバンドのサブバンドＣＱＩを基地局装置１０１に通知する上位レイヤ設定モード（Ｈｉｇｈｅｒ  Ｌａｙｅｒ−ｃｏｎｆｉｇｕｒｅｄ  ｍｏｄｅ）（Ｍｏｄｅ  ３−０、Ｍｏｄｅ  ３−１、Ｍｏｄｅ  ３−２）と、利用可能な全サブバンドの内、端末装置１０２が選択したサブバンドのサブバンドＣＱＩを基地局装置１０１に通知するＵＥ選択モード（ＵＥ  ｓｅｌｅｃｔｅｄ  ｍｏｄｅ）（Ｍｏｄｅ  ２−０、Ｍｏｄｅ  ２−１、Ｍｏｄｅ  ２−２）とがあるが、本実施形態では、上位レイヤ設定モードが設定されているものとして説明を行う。なお、本発明はＵＥ選択モードに対しても適用可能である。初めに、従来のＲｅｌ−８ＣＱＩテーブル（第３のＣＱＩテーブル）が設定されている場合におけるＣＱＩ生成部２０７の処理を図７を用いて説明する。まずＲＲＣ設定部２０８から入力されるＲＲＣシグナリングは、ＣＱＩテーブル設定部７００に入力される。ＣＱＩテーブル設定部７００では、入力されたＲＲＣシグナリングによってＲｅｌ−８ＣＱＩテーブルとＲｅｌ−１２ＣＱＩテーブルのどちらかを選択し、その情報をワイドバンドＣＱＩインデックス引き出し部７０３およびサブバンドＣＱＩインデックス引き出し部７０３に入力する。一方、チャネル推定部２０６から入力されるチャネル推定値は、ワイドバンドＣＱＩインデックス算出部７０１およびサブバンドＣＱＩインデックス算出部７０２に入力される。ワイドバンドＣＱＩインデックス算出部７０１では、入力されたチャネル推定値を用いて、ワイドバンド、つまりシステム帯域全体の平均ＣＱＩを算出し、算出して得られたＣＱＩをワイドバンドＣＱＩインデックス引き出し部７０３に入力する。一方、サブバンドＣＱＩインデックス算出部７０２では、入力されたチャネル推定値を用いて、サブバンド毎のＣＱＩを算出し、算出して得られたサブバンド毎のＣＱＩをそれぞれサブバンドＣＱＩインデックス引き出し部７０４に入力する。ワイドバンドＣＱＩインデックス引き出し部７０３では、ワイドバンドＣＱＩインデックス算出部７０１から入力されるＣＱＩと、ＣＱＩテーブル設定部７００から設定（指定）されるＣＱＩテーブル（Ｒｅｌ−８ＣＱＩテーブル）とから、対応するワイドバンドＣＱＩインデックスを引き出す。引き出されたワイドバンドＣＱＩインデックスは、ＣＱＩ情報結合部７０７およびオフセットレベル算出部７０５に入力される。
【００３４】
サブバンドＣＱＩインデックス引き出し部７０４では、サブバンドＣＱＩインデックス算出部７０２から入力されるサブバンド毎のＣＱＩと、ＣＱＩテーブル設定部７００から指定されるＣＱＩテーブル（Ｒｅｌ−８ＣＱＩテーブル）とから、サブバンド毎に対応するサブバンドＣＱＩインデックスを引き出す。引き出されたサブバンド毎のサブバンドＣＱＩインデックスは、オフセットレベル算出部７０５に入力される。
【００３５】
オフセットレベル算出部７０５では、サブバンドＣＱＩインデックス引き出し部７０４から入力される各サブバンドのサブバンドＣＱＩインデックスから、ワイドバンドＣＱＩインデックス引き出し部７０３から入力されるワイドバンドＣＱＩインデックスを減算することで、各サブバンドにおけるワイドバンドＣＱＩインデックスに対するオフセットレベルを算出する。オフセットレベル算出部７０５で算出されたオフセットレベルは、サブバンド差分ＣＱＩ値引き出し部７０６に入力される。サブバンド差分ＣＱＩ値引き出し部は、入力されたオフセットレベルと図８に示す対応表から、サブバンド差分ＣＱＩ値をサブバンド毎に引き出し、引き出されたサブバンド差分ＣＱＩ値をＣＱＩ情報結合部７０７に出力する。ＣＱＩ情報結合部７０７は、入力されたワイドバンドＣＱＩインデックス、および入力されたサブバンド差分ＣＱＩ値を結合（例えば、パラレル‐シリアル変換）し、ＰＵＣＣＨ生成部２０９あるいはＰＵＳＣＨ生成部２１０に入力する。このように、端末装置１０２は、ワイドバンドＣＱＩインデックスからの差分ＣＱＩのみを、各サブバンドのＣＱＩとして基地局装置１０１に通知する。
【００３６】
図５に示すＲｅｌ−８ＣＱＩテーブルは、各ＣＱＩは隣接するインデックスが約２ｄＢの受信品質差となるようにテーブル化されている。したがって、図８の対応表を用い、上記のようにインデックスの差分を通知する方法では、Ｒｅｌ−８ＣＱＩテーブルにおいては、ワイドバンドＣＱＩからの差分ＣＱＩとして、＋４ｄＢ以上、＋２ｄＢ、±０ｄＢ、−２ｄＢ以下のいずれかのＣＱＩであることを通知することが可能となる。しかしながら、Ｒｅｌ−１２ＣＱＩテーブル（第１のＣＱＩテーブル）を用いた場合においても同様に、図８の対応表を用いてインデックスの差分を通知する方法を適用した場合、周波数利用効率の高いＣＱＩでは、ワイドバンドＣＱＩからの差分ＣＱＩとして、＋４ｄＢ以上、＋２ｄＢ、±０ｄＢ、−２ｄＢ以下のいずれかのＣＱＩであることを通知することができるが、周波数利用効率の低いＣＱＩでは、図５に示すようなＲｅｌ−８ＣＱＩテーブルと比較してＣＱＩが間引かれているため、ワイドバンドＣＱＩからの差分ＣＱＩとして、例えば、＋８ｄＢ以上、＋４ｄＢ、±０ｄＢ、−４ｄＢ以下の何れかのＣＱＩであることを通知することになる。このように、Ｒｅｌ−１２ＣＱＩテーブルに対して単に差分ＣＱＩの通知方法を適用しただけでは、従来と同様の粒度（精度）の差分ＣＱＩを通知することができない。
【００３７】
そこで、Ｒｅｌ−１２ＣＱＩテーブル（図６）を用いた場合にも、ワイドバンドＣＱＩインデックスによらず、オフセットレベルに関する図８の対応表を変更することなく、差分ＣＱＩを示すためのビット数を増加することなく、既存と同等レベルの周波数利用効率の細かさ(精度)のサブバンドＣＱＩを通知するためのＣＱＩ生成部２０７について、以降で説明を行う。
【００３８】
図９に本実施形態におけるＣＱＩ生成部２０７の構成を示す。図７と比較して、高精度ＣＱＩインデックス引き出し部９０５が加えられている点と、ＣＱＩテーブル設定部９００の出力がワイドバンドＣＱＩインデックス引き出し部９０３のみに入力される点と、サブバンドＣＱＩインデックス引き出し部７０４が高精度サブバンドＣＱＩインデックス引き出し部９０４に変更されている点のみが異なるため、上記に関連する箇所についてのみ説明を行う。
【００３９】
ワイドバンドＣＱＩインデックス引き出し部９０３が出力するワイドバンドＣＱＩインデックスは、高精度ＣＱＩインデックス引き出し部９０５に入力される。高精度ＣＱＩインデックス引き出し部９０５では、図１０に記載のＣＱＩテーブル（第２のＣＱＩテーブル）に基づいて、ワイドバンドＣＱＩのＣＱＩインデックスを、高精度ＣＱＩインデックスに変換する。変換された高精度ＣＱＩインデックスは、オフセットレベル算出部９０６に入力される。
【００４０】
次に、高精度サブバンドＣＱＩインデックス引き出し部９０４について説明を行う。高精度サブバンドＣＱＩインデックス引き出し部９０４では、入力されたサブバンドＣＱＩと、図１０に示す高精度ＣＱＩテーブル（第２のＣＱＩテーブル）とから、サブバンド毎に高精度ＣＱＩインデックスを引き出す。サブバンドＣＱＩインデックス引き出し部７０４と異なり、ＣＱＩテーブル設定部９００が指定するＣＱＩテーブルに関する情報は、高精度サブバンドＣＱＩインデックス引き出し部９０４に入力されなくてもよい。図１０の高精度ＣＱＩテーブルは、図６に示すＲｅｌ−１２ＣＱＩテーブルに記載のＣＱＩと、図５に示すＲｅｌ−８ＣＱＩテーブルに記載のＣＱＩとから構成され、ＣＱＩのインデックスを周波数利用効率が昇順になるように振りなおしたものである。言い換えると、図５に示すＲｅｌ−８ＣＱＩテーブルの周波数利用効率が低いＣＱＩであって、Ｒｅｌ−１２ＣＱＩテーブルを構成する際に間引かれたＣＱＩをＲｅｌ−１２ＣＱＩテーブルのＣＱＩに加えたＣＱＩテーブルが、高精度ＣＱＩテーブルである。なお本発明の実施形態は、Ｒｅｌ−８ＣＱＩテーブルから間引きを行ったＣＱＩをＲｅｌ−１２ＣＱＩテーブルに加えて高精度ＣＱＩテーブルを構成する場合に限定されず、Ｒｅｌ−１２ＣＱＩテーブルにおいて隣接するＣＱＩインデックスのＳＮＲが２ｄＢ程度となるようにＲｅｌ−１２ＣＱＩテーブルを補間して高精度ＣＱＩテーブルを構成する場合に本発明の実施形態を適用することができる。また隣接するＣＱＩインデックスが示すＳＮＲの差は約２ｄＢでなくてもよく、どのような値であってもよい。また隣接するＣＱＩインデックスのＳＮＲの差が一定でなくても良い。
【００４１】
高精度サブバンドＣＱＩインデックス引き出し部９０４は、引き出されたサブバンド毎の高精度サブバンドＣＱＩインデックスをオフセットレベル算出部９０６に入力する。オフセットレベル算出部９０６は、高精度サブバンドＣＱＩインデックス引き出し部９０４から入力された高精度ＣＱＩインデックスから、高精度ＣＱＩインデックス引き出し部９０５から入力されるワイドバンドＣＱＩのＣＱＩインデックスを減算した値を、各サブバンドのオフセットレベルとする。オフセットレベル算出部９０６は、算出した各サブバンドのオフセットレベルをサブバンドＣＱＩ値引き出し部９０７に入力する。サブバンド差分ＣＱＩ値引き出し部９０７は、図８の対応表に基づき、各サブバンドに対するサブバンド差分ＣＱＩ値を引き出す。
【００４２】
このように、Ｒｅｌ−８ＣＱＩテーブル（第３のＣＱＩテーブル）からあるＣＱＩを間引きして構成されるＲｅｌ−１２ＣＱＩテーブル（第１のＣＱＩテーブル）が設定されている場合に、サブバンドＣＱＩインデックスとワイドバンドＣＱＩインデックスをＲｅｌ−１２ＣＱＩテーブルに基づいて引き出し、Ｒｅｌ−１２ＣＱＩテーブルに基づいて引き出されたサブバンドＣＱＩインデックスとＲｅｌ−１２ＣＱＩテーブルに基づいて引き出されたワイドバンドＣＱＩインデックスとの差分を単に通知するのではなく、通知されるワイドバンドＣＱＩインデックスを高精度ＣＱＩテーブル（第２のＣＱＩテーブル）から引き出される高精度ワイドバンドＣＱＩインデックスに変換し、サブバンドＣＱＩに対応する高精度サブバンドＣＱＩインデックスを高精度ＣＱＩテーブルに基づき引き出し、引き出された高精度サブバンドＣＱＩインデックスと変換された高精度ワイドバンドＣＱＩインデックスとからサブバンド差分ＣＱＩ値を得ることで、Ｒｅｌ−８ＣＱＩテーブルから間引きされたＣＱＩをサブバンドＣＱＩとして通知することが可能となる。この通知方法により、２５６ＱＡＭ伝送を可能とすると同時に、Ｒｅｌ−８ＣＱＩテーブルを用いたときと同じ精度で、サブバンドＣＱＩの通知を行うことができるようになる。
【００４３】
端末装置１０２が送信した信号は、チャネルを経由し、基地局装置１０１で受信される。図１１に、基地局装置１０１の構成の一例を示す。なお、図１１では、本発明の実施形態の説明に必要となるブロック（処理部）のみを示している。端末装置１０２が送信した信号は、受信アンテナ１１０１を介してＵＬ受信部１１０２で受信される。なお、受信アンテナ１１０１は、複数のアンテナから構成され、受信ダイバーシチやアダプティブアレーアンテナ等の技術が適用されてもよい。ＵＬ受信部１１０２は、ダウンコンバージョンやフーリエ変換等の処理を行う。ＵＬ受信部１１０２の出力は、制御情報抽出部１１０３に入力される。制御情報抽出部１１０３では、端末装置１０２が送信した制御情報を抽出する。ここで、制御情報は、制御情報専用のチャネルであるＰＵＣＣＨ（Physical Uplink Control CHannel）を用いて送信された制御情報、または情報データ送信用のチャネルであるＰＵＳＣＨ（Physical Uplink Shared CHannel）を用いて送信された制御情報である。制御情報抽出部１１０３で抽出された制御情報は、ＣＱＩ抽出部１１０４、またはＲＲＣ抽出部１１０５に入力される。ＲＲＣ抽出部１１０５では、制御情報の中からＲＲＣに関する情報を抽出する。
【００４４】
ＣＱＩ抽出部１１０４では、制御情報抽出部１１０３から入力された制御情報の中から、各端末装置１０２が送信したワイドバンドＣＱＩインデックスおよびサブバンドＣＱＩインデックス（高精度サブバンドＣＱＩインデックス）を抽出する。ただし、端末装置１０２が６４ＱＡＭモードでＣＱＩ（単にＣＱＩと記載する場合は、ワイドバンドＣＱＩおよびサブバンドＣＱＩ、あるいはどちらかのＣＱＩを意味する）を送信した場合と、端末装置１０２が２５６ＱＡＭモードでＣＱＩを送信した場合とで、各ＣＱＩインデックスが対応する情報（変調方式と符号化率の組み合わせ）が異なる。ＣＱＩ抽出部１１０４は、端末装置１０２が６４ＱＡＭモードでＣＱＩを送信したと判断した場合、図５のようなＲｅｌ−８ＣＱＩテーブルによって端末装置１０２がＣＱＩインデックスを通知したものと解釈する。ＣＱＩ抽出部１１０４は、端末装置１０２が２５６ＱＡＭモードでＣＱＩを送信したと判断した場合、ワイドバンドＣＱＩインデックスおよびサブバンドＣＱＩインデックスに対して図６のようなＲｅｌ−１２ＣＱＩテーブルによって端末装置１０２がＣＱＩインデックスを通知したものと解釈する。またＣＱＩ抽出部１１０４は、端末装置１０２が２５６ＱＡＭモードでＣＱＩを送信したと判断した場合、高精度サブバンドＣＱＩインデックス（差分による通知方法で示されるサブバンドＣＱＩインデックス）に対して図１０のような高精度ＣＱＩテーブルによって端末装置１０２がＣＱＩインデックスを通知したものと解釈する。ここで、図６のＣＱＩテーブルは、図５のテーブルの内、ＱＰＳＫ伝送用のインデックスを削減し、さらに６４ＱＡＭ伝送用のＣＱＩの内、周波数利用効率の高いものを２５６ＱＡＭ伝送に置き換えたものである。なお、図６は２５６ＱＡＭモードでのＣＱＩテーブルの一例であり、ＱＰＳＫ、１６ＱＡＭ、６４ＱＡＭの一部またはすべてを含まず、２５６ＱＡＭを含むテーブルや図５のテーブルのＣＱＩを等間隔に削除し、２５６ＱＡＭとしたものなど、図５のＣＱＩテーブルと異なり、かつ２５６ＱＡＭでの伝送が想定されたＣＱＩテーブルであればどのようなものであってもよい。
【００４５】
ＣＱＩ抽出部１１０４で抽出された各端末装置１０２のＣＱＩはスケジューリング部１１０６およびＭＣＳ設定部１１０７に入力される。スケジューリング部１１０６では、各端末装置１０２のＣＱＩを用いて、各端末装置１０２へのリソース割り当てを行う。ここで、ダウンリンクでＭＩＭＯ（Multiple Input Multiple Output）伝送が行われる場合、ＣＱＩに加えて、端末装置１０２から通知されるＲＩ（Rank Indicator）やＰＭＩ（Precoding Matrix Indicator）を用いてスケジューリングが行われる。スケジューリング部１１０６が出力する各端末装置１０２の割り当て情報は、ＭＣＳ設定部１１０７およびＰＤＳＣＨ生成部１１０８に入力される。
【００４６】
ＭＣＳ設定部１１０７では、スケジューリング部１１０６から入力されるリソース割り当て情報とＣＱＩ抽出部１１０４から入力されるＣＱＩを用いて、次回の伝送に用いるリソースにおけるチャネル品質（ＣＱＩ）を推定する。推定されたＣＱＩに基づき、所定の誤り率が得られるＭＣＳを設定し、ＭＣＳインデックスを作成する。この時、作成されるＭＣＳインデックスは、変調モードによって異なる。例えば、ＭＣＳ設定部１１０７は、６４ＱＡＭモードが設定されている場合、図３に示すようなＲｅｌ−８ＭＣＳテーブルからＭＣＳインデックスを選択する。例えば、ＭＣＳ設定部１１０７は、２５６ＱＡＭモードが設定されている場合、図４に示すようなＲｅｌ−１２ＭＣＳテーブルからＭＣＳインデックスを選択する。なお、本実施形態において、２５６ＱＡＭまでサポートされていれば、図４に記載のＭＣＳテーブルとは異なるＲｅｌ−１２ＭＣＳテーブルが用いられてもよい。ＭＣＳ設定部１１０７が設定したＭＣＳインデックスはＰＤＳＣＨ生成部１１０８に入力されるとともに、制御情報生成部１１０９に入力される。制御情報生成部１１０９は、入力されたＭＣＳインデックスを、割り当て情報などの他の制御情報とともにＤＣＩフォーマットと呼ばれるフォーマットとして信号を生成する。ＤＣＩフォーマットとして生成された信号はＰＤＣＣＨに配置される。
【００４７】
ＰＤＳＣＨ生成部１１０８は、ＭＣＳ設定部１１０７から入力されるＭＣＳインデックスによって、各端末装置１０２宛の情報ビットに対して符号化および変調を行う。ＰＤＳＣＨ生成部１１０８は、スケジューリング部１１０６から入力される割り当て情報に従って、各端末装置１０２宛ての信号をＰＤＳＣＨに配置する。配置された信号は、ＤＬ送信部１１１１に入力される。また、ＲＲＣ情報生成部１１１０が端末装置１０２に通知すべきＲＲＣ情報が存在する場合、ＰＤＳＣＨ生成部１１０８に該ＲＲＣ情報が入力され、該端末装置１０２宛のデータ信号としてＰＤＳＣＨに配置されて送信される。該ＲＲＣ情報とは、ＲＲＣシグナリングによって通知される情報であり、変調モード（２５６ＱＡＭモードと６４ＱＡＭモード）の設定情報である変調モード設定や、ＣＳＩ要求領域の値に対応するサービングセルセット（複数のセルの集合）もしくは特定のサービングセルの構成であるＣＳＩ要求設定等が含まれる。
【００４８】
ＤＬ送信部１１１１は、ＰＤＳＣＨ生成部１１０８と制御情報生成部１１０９から入力される信号を多重した後、逆離散フーリエ変換、帯域制限フィルタリング、アップコンバージョン等の処理を行う。ＤＬ送信部１１１１が出力する信号は送信アンテナ１１１２を介して端末装置１０２に送信される。
【００４９】
次に、本実施形態のサブバンド差分ＣＱＩ値を端末装置１０２が送信した場合における、基地局装置１０１のＣＱＩ抽出部１１０４の動作について説明を行う。まず、図１０に示す高精度ＣＱＩテーブルを適用せず、Ｒｅｌ−８ＣＱＩテーブル（あるいはＲｅｌ−１２ＣＱＩテーブル）のみを用いてサブバンド差分ＣＱＩ値が通知された場合のＣＱＩ抽出部１１０４での処理について、図１２を用いて説明を行う。ＲＲＣ抽出部１１０５から入力された情報は、ＣＱＩテーブル設定部１２００に入力される。ＣＱＩテーブル設定部１２００では、どのテーブルが設定されているかという情報をワイドバンドＣＱＩ引き出し部１２０２、およびサブバンド品質引き出し部１２０５に入力する。また、通知されたＣＱＩ情報は、ＣＱＩ情報分離部１２０１に入力され、ワイドバンドＣＱＩインデックスとサブバンド差分ＣＱＩ値に分離される。分離されたワイドバンドＣＱＩインデックスは、ワイドバンドＣＱＩ引き出し部１２０２およびＣＱＩインデックス算出部１２０４およびに入力され、分離されたサブバンド差分ＣＱＩ値はオフセットレベル引き出し部１２０３に入力される。ワイドバンドＣＱＩ引き出し部１２０２では、ＣＱＩテーブル設定部１２００が設定するＣＱＩテーブル（図５に示すＲｅｌ−８ＣＱＩテーブル、あるいは図６に示すＲｅｌ−１２ＣＱＩテーブル）に基づいて入力されたワイドバンドＣＱＩインデックスに対応するＣＱＩを引き出し、ワイドバンドＣＱＩとして引き出したＣＱＩをＣＱＩ結合部１２０６に入力する。
【００５０】
オフセットレベル引き出し部１２０３は、入力されたサブバンド差分ＣＱＩ値と図８の対応表を用いて、オフセットレベルを引き出す。得られたオフセットレベルは、ＣＱＩインデックス算出部１２０４に入力される。ＣＱＩインデックス算出部１２０４は、ＣＱＩ情報分離部１２０１から入力されたワイドバンドＣＱＩインデックスに、オフセットレベル引き出し部１２０３から入力されたオフセットレベルを加算することで、各サブバンドにおけるサブバンドＣＱＩインデックスを算出する。得られた各サブバンドＣＱＩインデックスは、サブバンドＣＱＩ引き出し部１２０５に入力される一方、サブバンドＣＱＩ引き出し部１２０５は、図５に示すＲｅｌ−８ＣＱＩテーブルに基づいて入力されたサブバンドＣＱＩインデックスに対応するＣＱＩを引き出し、サブバンドＣＱＩとして引き出したＣＱＩをＣＱＩ情報結合部１２０６に入力する。ＣＱＩ情報結合部１２０６では、入力されたワイドバンドＣＱＩと各サブバンドのサブバンドＣＱＩを結合し、スケジューリング部１１０６とＭＣＳ設定部１２０７に入力する。
【００５１】
次に、本実施形態における、Ｒｅｌ−１２ＣＱＩテーブルがＲＲＣシグナリングによって設定された場合におけるＣＱＩ抽出部２０４の動作について図１３を用いて説明を行う。ただし、Ｒｅｌ−８ＣＱＩテーブル（あるいはＲｅｌ−１２ＣＱＩテーブル）のみが使用された場合のＣＱＩ抽出部２０４とは、高精度ＣＱＩインデックス引き出し部１３０３が加えられている点と、ＣＱＩテーブル設定部１３００の出力がワイドバンドＣＱＩ引き出し部１３０２のみに入力される点と、サブバンドＣＱＩ引き出し部１２０５が高精度サブバンドＣＱＩ引き出し部１３０６となる点が異なり、説明の便宜上、変更箇所についてのみ説明を行う。
【００５２】
まず、ＣＱＩ情報分離部１３０１が出力するワイドバンドＣＱＩインデックスが高精度ＣＱＩインデックス引き出し部１３０３に入力される。高精度ＣＱＩインデックス引き出し部１３０３では、図９の高精度ＣＱＩインデックス引き出し部９０５と同様、図１０に示す高精度ＣＱＩテーブルを用いて、ワイドバンドＣＱＩインデックスを高精度ＣＱＩインデックスへ変換する。得られたワイドバンドＣＱＩの高精度ＣＱＩインデックスは高精度ＣＱＩインデックス算出部１３０５に入力される。高精度ＣＱＩインデックス算出部１３０５は、高精度ＣＱＩインデックス引き出し部１３０３から入力されたワイドバンドＣＱＩの高精度ＣＱＩインデックスに、オフセットレベル引き出し部１３０４から入力される各サブバンドのオフセットレベルを加算することで、高精度サブバンドＣＱＩインデックスを得る。得られた各サブバンドの高精度サブバンドＣＱＩインデックスは高精度サブバンドＣＱＩ引き出し部１３０６に入力される。高精度サブバンドＣＱＩ引き出し部１３０６は、図１０に示す高精度ＣＱＩテーブルを用いて、高精度ＣＱＩインデックス算出部１３０４から入力される高精度サブバンドＣＱＩインデックスに対応するＣＱＩを引き出し引き出したＣＱＩをサブバンド毎のサブバンドＣＱＩとしてＣＱＩ結合部１３０７に入力する。サブバンドＣＱＩ引き出し部１２０５と異なり、ＣＱＩテーブル設定部１３００が指定するＣＱＩテーブルに関する情報は、高精度サブバンドＣＱＩ引き出し部１３０２に入力されなくてもよい。
【００５３】
このように、ワイドバンドＣＱＩに用いるＣＱＩテーブル（第１のＣＱＩテーブル）（Ｒｅｌ−１２ＣＱＩテーブル）の一部において隣接するインデックスで示すＣＱＩ差が異なる場合に、隣接するインデックスで示すＣＱＩ差が同一のＣＱＩも含めたＣＱＩテーブル（第２のＣＱＩテーブル）（高精度ＣＱＩテーブル）を別途設け、該ＣＱＩテーブルを用いてサブバンドＣＱＩを示す差分ＣＱＩ値を求めることで、ワイドバンドＣＱＩに用いるＣＱＩテーブルには構成されないＣＱＩをサブバンドＣＱＩで示すことが可能となる。これにより、基地局装置はサブバンドＣＱＩに関して精度の高いＣＱＩを得ることができるため、より適切なＭＣＳを設定できるようになり、スループットを向上させることができる。
【００５４】
なお、本実施形態では上位レイヤ設定モードの場合について説明を行ったが、仕様上、サブバンドの帯域幅が異なるものの、ＵＥ選択モードの場合でも同様にサブバンド差分ＣＱＩ値に関して本発明を適用することができる。また、差分ＣＱＩ値の生成に用いられるオフセットレベルは、図８に示す対応表ではなく、図１４に示す対応表などが用いられてもよい。
【００５５】
なお、図１０に示す高精度ＣＱＩテーブルを用いず、ワイドバンドＣＱＩがある値の場合に、ワイドバンドＣＱＩインデックスをＲｅｌ−８ＣＱＩテーブル（第３のテーブル）に基づいて変換し、サブバンドＣＱＩインデックスをＲｅｌ−８ＣＱＩテーブルに基づいて引き出し、引き出されたサブバンドＣＱＩインデックスと変換されたワイドバンドＣＱＩインデックスとの差をオフセットレベルとする構成でもよい。
【００５６】
例えば、ワイドバンドＣＱＩの変調方式が６４ＱＡＭ、または２５６ＱＡＭの場合、ワイドバンドＣＱＩインデックスをＲｅｌ−１２ＣＱＩテーブル（第１のテーブル）に基づいて引き出し、サブバンドＣＱＩインデックスをＲｅｌ−１２ＣＱＩテーブル（第１のテーブル）に基づいて引き出し、引き出されたサブバンドＣＱＩインデックスと変換されたワイドバンドＣＱＩインデックスとの差をオフセットレベルとする。例えば、ワイドバンドＣＱＩの変調方式がＱＰＳＫ、または１６ＱＡＭの場合、ワイドバンドＣＱＩインデックスをＲｅｌ−１２ＣＱＩテーブル（第１のテーブル）に基づいて引き出し、引き出されたワイドバンドＣＱＩインデックスをＲｅｌ−８ＣＱＩテーブル（第３のテーブル）に基づいて変換し、サブバンドＣＱＩインデックスをＲｅｌ−８ＣＱＩテーブルに基づいて引き出し、引き出されたサブバンドＣＱＩインデックスと変換されたワイドバンドＣＱＩインデックスとの差をオフセットレベルとする。
【００５７】
なお、変調方式によって参照するＣＱＩテーブルを変更することに限定されず、Ｒｅｌ−８ＣＱＩテーブル（第３のテーブル）の所定の値以上のインデックスが引き出された場合には、ワイドバンドＣＱＩインデックスをＲｅｌ−１２ＣＱＩテーブル（第１のテーブル）に基づいて引き出し、サブバンドＣＱＩインデックスをＲｅｌ−１２ＣＱＩテーブル（第１のテーブル）に基づいて引き出し、引き出されたサブバンドＣＱＩインデックスと変換されたワイドバンドＣＱＩインデックスとの差をオフセットレベルとする。一方、Ｒｅｌ−１２ＣＱＩテーブル（第１のテーブル）の所定の値以下のインデックスが引き出された場合には、ワイドバンドＣＱＩインデックスをＲｅｌ−８ＣＱＩテーブル（第１のテーブル）のインデックスに変換し、サブバンドＣＱＩインデックスをＲｅｌ−８ＣＱＩテーブル（第３のテーブル）に基づいて引き出し、引き出されたサブバンドＣＱＩインデックスと変換されたワイドバンドＣＱＩインデックスとの差をオフセットレベルとしてもよい。
【００５８】
図８に示すオフセットレベルの対応表では、オフセットレベルが２より大きい場合、オフセットレベルが２に丸めこまれる。図８に示すオフセットレベルの対応表では、オフセットレベルが−１より小さい場合、オフセットレベルが−１に丸めこまれる。よって、Ｒｅｌ−８ＣＱＩテーブルと比較して間引かれたＱＰＳＫのＣＱＩが図８に示す対応表のオフセットレベルでは丸めこまれて差分ＣＱＩ値が示される場合（例えば、ワイドバンドＣＱＩの変調方式が６４ＱＡＭ、または２５６ＱＡＭの場合）は、ワイドバンドＣＱＩインデックスもサブバンドＣＱＩインデックスもＲｅｌ−１２ＣＱＩテーブルに基づき引き出し、引き出されたサブバンドＣＱＩインデックスと引き出されたワイドバンドＣＱＩインデックスとの差をオフセットレベルとし、Ｒｅｌ−８ＣＱＩテーブルと比較して間引かれたＱＰＳＫのＣＱＩが図８に示す対応表のオフセットレベルでは丸めこまれずに差分ＣＱＩ値が示される場合（例えば、ワイドバンドＣＱＩの変調方式がＱＰＳＫ、または１６ＱＡＭＱＡＭの場合）は、ワイドバンドＣＱＩインデックスはＲｅｌ−１２ＣＱＩテーブルに基づき引き出し、サブバンドＣＱＩインデックスはＲｅｌ−８ＣＱＩテーブルに基づき引き出し、Ｒｅｌ−１２ＣＱＩテーブルに基づき引き出されたワイドバンドＣＱＩインデックスをＲｅｌ−８ＣＱＩテーブルに基づき変換し、引き出されたサブバンドＣＱＩインデックスと変換されたワイドバンドＣＱＩインデックスとの差をオフセットレベルとすることにより、前述の高精度ＣＱＩテーブルを用いた場合と同様の効果を実現することができる。
【００５９】
［第２の実施形態］
第１の実施形態では、ワイドバンドＣＱＩインデックスに対するサブバンドＣＱＩインデックスのオフセットレベルを算出し、オフセットレベルに基づいたサブバンド差分ＣＱＩ値を通知する場合に、Ｒｅｌ−１２ＣＱＩテーブルを用いた場合においても効率的にサブバンドＣＱＩを通知する方法について説明を行った。なお、第１の実施形態でも記載した通り、上位レイヤ設定サブバンドフィードバックが設定された場合を主に説明を行ったが、ＵＥ選択サブバンドフィードバックにも適用可能である。またサブバンド差分ＣＱＩ以外の差分ＣＱＩを通知する場合にも適用可能であり、例えばコードワード０のワイドバンドＣＱＩインデックスとコードワード１のワイドバンドＣＱＩインデックスの差分を示す差分ＣＱＩが、ＬＴＥでは仕様化されている。本実施形態では、コードワード間の差分ＣＱＩに適用した場合について説明する。なお本実施形態では、第１の実施形態と同様、上位レイヤ選択モードが設定されているものとして説明を行うが、ＵＥ選択モードが設定されている場合にも適用可能である。
【００６０】
ＬＴＥのダウンリンクでは、複数レイヤの同時送信が可能である。また例えば、２レイヤの同時送信の場合に、各レイヤで送信される符号語（コードワード）を同じにすることもできるし（コードワード数１）、それぞれ異なる符号化を行うこと（コードワード数２）もできる仕様となっている。各コードワードにおいて適切なＭＣＳによって伝送を行うために、各コードワードに対する受信品質を端末装置が基地局装置に通知することができる仕様になっている。端末装置は、各コードワードのワイドバンドＣＱＩを４ビットに量子化し送信することになるが、同じ端末装置が受信するコードワードであるため、２つのコードワードの受信品質は近いことが多い。そこで、コードワード０のみ４ビットによるワイドバンドＣＱＩインデックスを通知し、コードワード１についてはコードワード０からの差分のみを３ビットで通知することで、通知情報量を削減することができる仕様になっている。差分の通知のための表を図１５に示す。
【００６１】
ここでコードワード０に対してＲｅｌ−１２ＣＱＩテーブルが設定された場合、Ｒｅｌ−１２ＣＱＩテーブルの低ＣＱＩは間引きが行われているため、空間差分ＣＱＩ値が、サブバンド差分ＣＱＩ値の場合と同様に、隣接するインデックスが示すＳＮＲが２ｄＢではなく４ｄＢ刻みとなるため、荒いＣＱＩの通知しか行うことができない。そこで本実施形態では、Ｒｅｌ−１２ＣＱＩテーブルがコードワード０に設定されている場合においても、高精度にコードワード１のワイドバンドＣＱＩを通知する方法について説明する。なお、第１の実施形態で説明したサブバンド差分ＣＱＩ値の通知法を併用することで、コードワード１については、高精度なワイドバンドＣＱＩ値を通知でき、さらにそのワイドバンドＣＱＩからの差分ＣＱＩも第１の実施形態と同様、高精度なＣＱＩの通知を行うことができる。
【００６２】
本実施形態に係る端末装置の構成としては、第１の実施形態で示した構成図である図２とほぼ同様であるため、処理が大幅に異なるブロックについてのみ説明を行う。ここで、本実施形態ではＬＴＥの仕様に沿って、コードワード数を２つに限定した例を示すが、３以上のコードワード数についても同様に適用可能である。まずチャネル推定部２０６では、各コードワードに対するチャネル推定を行い、コードワード０とコードワード１に対するチャネル推定値をＣＱＩ生成部２０７に入力する。ＣＱＩ生成部２０７では、各コードワードに関してワイドバンドＣＱＩとサブバンドＣＱＩを算出するが、ここでは本実施形態では、第１の実施形態と同様に、各コードワードのサブバンドＣＱＩの通知法として、差分ＣＱＩが適用された場合について説明する。
【００６３】
以降、本実施形態に係るＣＱＩ抽出部２０７の処理について、図１６を用いて説明を行う。チャネル推定部２０６からＣＱＩ抽出部２０７に入力される各コードワードに対するチャネル推定値は、コードワード０ワイドバンドＣＱＩインデックス算出部１６０１、コードワード０サブバンドＣＱＩインデックス算出部１６０２、コードワード１ワイドバンドＣＱＩインデックス算出部１６０３およびコードワード１サブバンドＣＱＩインデックス算出部１６０４に入力される。コードワード０ワイドバンドＣＱＩインデックス算出部１６０１では、入力されたチャネル推定値を用いて、コードワード０のワイドバンドＣＱＩを算出し、得られたＣＱＩをコードワード０ワイドバンドＣＱＩインデックス引き出し部１６０５に入力する。コードワード０ワイドバンドＣＱＩインデックス引き出し部１６０５では、コードワード０ワイドバンドＣＱＩインデックス算出部１６０１から入力されるＣＱＩと、ＣＱＩテーブル設定部１６００から指定されるＣＱＩテーブル（例えば図６のＲｅｌ−１２ＣＱＩテーブル）とから、コードワード０ワイドバンドＣＱＩインデックスを引き出す。ここでＣＱＩテーブル設定部１６００の出力は、コードワード０ワイドバンドＣＱＩインデックス引き出し部１６０５のみに入力されればよい。引き出されたワイドバンドＣＱＩインデックスは、ＣＱＩ情報結合部１６１６および高精度ＣＱＩインデックス引き出し部１６０９に入力される。
【００６４】
一方、コードワード０サブバンドＣＱＩインデックス算出部１６０２では、入力されたコードワード０に関するチャネル推定値を用いて、サブバンド毎のＣＱＩを算出し、得られたサブバンド毎のＣＱＩをコードワード０高精度サブバンドＣＱＩインデックス引き出し部１６０６に入力する。コードワード０高精度サブバンドＣＱＩインデックス引き出し部１６０６では、コードワード０サブバンドＣＱＩインデックス算出部１６０２から入力されるサブバンド毎のＣＱＩと、高精度ＣＱＩテーブル（図１０）とから、サブバンド毎の高精度ＣＱＩインデックスを引き出す。引き出されたサブバンド毎の高精度ＣＱＩインデックスは、オフセットレベル算出部１６１０に入力される。
【００６５】
オフセットレベル算出部１６１０では、コードワード０高精度サブバンドＣＱＩインデックス引き出し部１６０６から入力される各サブバンドの高精度ＣＱＩインデックスから、高精度ＣＱＩインデックス引き出し部１６０９から入力されるコードワード０ワイドバンドＣＱＩインデックスを減算することで、各サブバンドにおけるワイドバンドＣＱＩインデックスに対するオフセットレベルを算出する。得られたサブバンド毎のオフセットレベルは、コードワード０サブバンドＣＱＩ値引き出し部１６１３に入力される。コードワード０サブバンドＣＱＩ値引き出し部１６１３では、入力された各サブバンドのオフセットレベルと図８から、サブバンド差分ＣＱＩ値をサブバンド毎に算出し、得られたサブバンド差分ＣＱＩ値をＣＱＩ情報結合部１６１６に入力する。
【００６６】
コードワード１ワイドバンドＣＱＩインデックス算出部１６０３では、入力されたコードワード１に関するチャネル推定値を用いて、コードワード１のワイドバンドＣＱＩを算出し、得られたＣＱＩをコードワード１高精度ワイドバンドＣＱＩインデックス引き出し部１６０７に入力する。コードワード１高精度ワイドバンドＣＱＩインデックス引き出し部１６０７では、コードワード１ワイドバンドＣＱＩインデックス算出部１６０３から入力されるＣＱＩと、高精度ＣＱＩテーブルとから、コードワード１のワイドバンドＣＱＩに関する高精度ＣＱＩインデックスを引き出す。算出された高精度ＣＱＩインデックスは、オフセットレベル算出部１６１１に入力される。
【００６７】
オフセットレベル算出部１６１１では、コードワード１ワイドバンドＣＱＩインデックス引き出し部１６０７から入力されるワイドバンドＣＱＩの高精度ＣＱＩインデックスから、高精度ＣＱＩインデックス引き出し部１６０９から入力されるコードワード０のワイドバンドＣＱＩの高精度ＣＱＩインデックスを減算することで、コードワード０ワイドバンドＣＱＩインデックスに対するコードワード１ワイドバンドＣＱＩインデックスのオフセットレベルを算出する。得られたオフセットレベルは、コードワード１ワイドバンドＣＱＩ値引き出し部１６１４に入力される。コードワード１ワイドバンドＣＱＩ値引き出し部１６１４では、入力されたオフセットレベルと図１５の対応表から、コードワード１のワイドバンドに関する差分ＣＱＩ値を引き出し、得られたコードワード１のワイドバンドに関する差分ＣＱＩ値をＣＱＩ情報結合部１６１４に入力する。
【００６８】
一方、コードワード１サブバンドＣＱＩインデックス算出部１６０４では、入力されたコードワード１に関するチャネル推定値を用いて、コードワード１のサブバンド毎のＣＱＩを算出し、得られたサブバンド毎のＣＱＩをそれぞれコードワード１高精度サブバンドＣＱＩインデックス引き出し部１６０８に入力する。
【００６９】
コードワード１高精度サブバンドＣＱＩインデックス引き出し部１６０８では、コードワード１サブバンドＣＱＩインデックス算出部１６０４から入力されるコードワード１のサブバンド毎のＣＱＩと、図１０の高精度ＣＱＩテーブルとから、サブバンド毎の高精度ＣＱＩインデックスを引き出す。引き出されたサブバンド毎の高精度ＣＱＩインデックスは、オフセットレベル算出部１６１２に入力される。
【００７０】
オフセットレベル算出部１６１２では、コードワード１サブバンドＣＱＩインデックス引き出し部１６０８から入力されるコードワード１サブバンドＣＱＩインデックスから、コードワード１ワイドワンドＣＱＩインデックス引き出し部１６０７から入力されるコードワード１ワイドバンドＣＱＩインデックスを減算することで、コードワード１ワイドバンドＣＱＩインデックスに対するコードワード１の各サブバンドＣＱＩインデックスのオフセットレベルを算出する。得られたオフセットレベルは、コードワード１サブバンドＣＱＩ値引き出し部１６１５に入力される。コードワード１サブバンドＣＱＩ値引き出し部１６１５では、入力されたコードワード１の各サブバンドのオフセットレベルと図８のサブバンド差分ＣＱＩテーブルから、コードワード１サブバンド差分ＣＱＩ値を引き出し、得られたコードワード１サブバンド差分ＣＱＩ値をＣＱＩ情報結合部１６１６に入力する。ＣＱＩ情報結合部１６１６は、入力されたコードワード０ワイドバンドＣＱＩインデックス、コードワード０サブバンド差分ＣＱＩ値、コードワード１ワイドバンド差分ＣＱＩ値、およびコードワード１サブバンド差分ＣＱＩ値を結合（例えば、パラレル‐シリアル変換）し、ＰＵＣＣＨ生成部２０９あるいはＰＵＳＣＨ生成部２１０に入力する。
【００７１】
このように、複数コードワードのワイドバンドＣＱＩの通知に対して差分ＣＱＩを用いることで、少ない制御情報量の通知で、高精度なＣＱＩの通知を行うことができる。また、コードワード数が１の場合、ワイドバンドＣＱＩインデックスに関しては、高精度なＣＱＩの通知を行うことができないのに対し、上述したようにコードワード数が２の場合、コードワード１のワイドバンドＣＱＩに関しては、コードワード０ワイドバンドＣＱＩインデックスからの差分ＣＱＩを通知することができるため、Ｒｅｌ−１２ＣＱＩテーブルが設定された場合においても、高精度なＣＱＩの通知を行うことが可能となる。
【００７２】
なお、上記の説明では、コードワード１サブバンド差分ＣＱＩ値は、コードワード１ワイドバンドＣＱＩインデックスからの差分として算出したが、コードワード０ワイドバンドＣＱＩインデックスからの差分として算出してもよい。また、コードワード０のワイドバンドＣＱＩを基準（参照）として他のＣＱＩを算出する場合について示したが、これに限定されず、他のコードワードのワイドバンドＣＱＩ（あるいは所定のサブバンドＣＱＩ）を基準にしてもよい。
【００７３】
次に本実施形態における、基地局装置１０１のＣＱＩ抽出部１１０４の動作について図１７を用いて説明を行う。通知されたＣＱＩ情報は、ＣＱＩ情報分離部１７０１に入力され、コードワード０ワイドバンドＣＱＩインデックス、コードワード０サブバンド差分ＣＱＩ値、コードワード１ワイドバンド差分ＣＱＩ値、コードワード１サブバンド差分ＣＱＩ値に分離される。分離されたコードワード０ワイドバンドＣＱＩインデックスは、コードワード０ワイドバンドＣＱＩ引き出し部１７０２および高精度ＣＱＩインデックス引き出し部１７０３に入力される。コードワード０ワイドバンドＣＱＩ引き出し部１７０２では、入力されたコードワード０ワイドバンドＣＱＩインデックスとＣＱＩテーブル設定部１７００から設定されるＣＱＩテーブル（例えば、図６のＲｅｌ−１２ＣＱＩテーブル）に基づいてコードワード０のワイドバンドＣＱＩを引き出し、ＣＱＩ結合部１７１３に入力する。ここでＣＱＩテーブル設定部１７００の出力は、コードワード０ワイドバンドＣＱＩ引き出し部１７０２のみに入力されればよい。
【００７４】
一方、ＣＱＩ情報分離部１７０１で分離されたコードワード０サブバンド差分ＣＱＩインデックスは、オフセットレベル引き出し部１７０４に入力される。オフセットレベル算出部１７０４は、入力されたコードワード０サブバンド差分ＣＱＩ値と図８の対応表から、各サブバンドにおけるオフセットレベルを引き出す。コードワード０の各サブバンドのオフセットレベルは、高精度ＣＱＩインデックス算出部１７０５に入力される。高精度ＣＱＩインデックス算出部１７０５では、高精度ＣＱＩインデックス引き出し部１７０３から入力されたコードワード０のワイドバンドＣＱＩの高精度ＣＱＩインデックスに、オフセットレベル引き出し部１７０４から入力されたコードワード０のサブバンド毎のオフセットレベルを加算することで、コードワード０の各サブバンドにおける高精度ＣＱＩインデックスを算出する。得られた各コードワード０の各サブバンドの高精度ＣＱＩインデックスは、高精度コードワード０サブバンドＣＱＩ引き出し部１７０６に入力される。高精度コードワード０サブバンドＣＱＩ引き出し部１７０６は、図１０の高精度ＣＱＩテーブルと、入力された高精度ＣＱＩインデックスに基づいてコードワード０の各サブバンドのＣＱＩを算出し、ＣＱＩ結合部１７１３に入力する。
【００７５】
ＣＱＩ情報分離部１７０１で分離されたコードワード１ワイドバンド差分ＣＱＩ値は、オフセットレベル引き出し部１７０７に入力される。オフセットレベル引き出し部１７０７では、入力されたコードワード１ワイドバンド差分ＣＱＩ値と図１５の対応表から、オフセットレベルを引き出す。引き出されたオフセットレベルは、高精度ＣＱＩインデックス算出部１７０８に入力される。高精度ＣＱＩインデックス算出部１７０８では、高精度ＣＱＩインデックス引き出し部１７０３から入力されたコードワード０のワイドバンドＣＱＩの高精度ＣＱＩインデックスに、オフセットレベル引き出し部１７０７から入力されたオフセットレベルを加算することで、コードワード１のワイドバンドＣＱＩの高精度ＣＱＩインデックスを算出する。得られた高精度ＣＱＩインデックスは、高精度コードワード１ワイドバンドＣＱＩ引き出し部１７０９、および高精度ＣＱＩインデックス算出部１７１１に入力される。高精度コードワード１ワイドバンドＣＱＩ引き出し部１７０９では、入力されたコードワード１ワイドバンドＣＱＩインデックスと図１０の高精度ＣＱＩテーブルに基づいて、コードワード１のワイドバンドＣＱＩを算出し、ＣＱＩ結合部１７１３に入力する。
【００７６】
ＣＱＩ情報分離部１７０１で分離されたコードワード１サブバンド差分ＣＱＩ値は、オフセットレベル引き出し部１７１０に入力される。オフセットレベル引き出し部１７１０では、入力されたコードワード１サブバンド差分ＣＱＩ値と図１５の対応表から、オフセットレベルを引き出す。引き出されたオフセットレベルは、高精度ＣＱＩインデックス算出部１７１１に入力される。また高精度ＣＱＩインデックス算出部１７１１では、高精度ＣＱＩインデックス算出部１７０８から入力されたコードワード１ワイドバンドＣＱＩインデックスに、オフセットレベル引き出し部１７１０から入力されたコードワード１サブバンド差分ＣＱＩ値を加算することで、サブバンド毎にコードワード１のサブバンドＣＱＩインデックスを算出する。得られたコードワード１サブバンドＣＱＩインデックスは、高精度コードワード１サブバンドＣＱＩ引き出し部１７１２に入力される。高精度コードワード１サブバンドＣＱＩ引き出し部１７１２では、入力されたコードワード１サブバンドＣＱＩインデックスと図１０の高精度ＣＱＩテーブルに基づいて、コードワード１のサブバンドＣＱＩを算出し、ＣＱＩ結合部１７１３に入力する。ＣＱＩ結合部１７１３では、入力されたコードワード０のワイドバンドＣＱＩと各サブバンドのサブバンドＣＱＩ、およびコードワード１のワイドバンドＣＱＩと各サブバンドのサブバンドＣＱＩを結合し、スケジューリング部１１０６とＭＣＳ設定部１１０７に入力する。
【００７７】
このように、コードワード数が複数の場合に、所定のワイドバンドＣＱＩの通知に対して差分ＣＱＩを用いることで、少ない制御情報量の通知で、高精度なＣＱＩの通知を受けることができる。本実施形態によれば、制御情報量を増加させることなく、コードワード０サブバンドＣＱＩ、コードワード１ワイドバンドＣＱＩ、コードワード１サブバンドＣＱＩに関して、高精度なＣＱＩを基地局装置は通知されることができる。高精度なＣＱＩ通知によって、基地局装置は適切なＭＣＳを各コードワードに通知できるため、ダウンリンクのスループットを増加させることができる。
【００７８】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００７９】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、又は全部を典型的には集積回路であるＬＳＩとして実現してもよい。基地局および端末の各機能ブロックは個別にチップ化してもよいし、一部、又は全部を集積してチップ化してもよい。また、集積回路化の手法はＬＳＩに限らず専用回路、又は汎用プロセッサで実現してもよい。各機能ブロックを集積回路化した場合に、それらを制御する集積回路制御部が付加される。
【００８０】
また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【００８１】
また、本願発明は上述の実施形態に限定されるものではない。本願発明の端末は、移動局装置への適用に限定されるものではなく、屋内外に設置される据え置き型、又は非可動型の電子機器、たとえば、ＡＶ機器、キッチン機器、掃除・洗濯機器、空調機器、オフィス機器、自動販売機、その他生活機器などに適用出来ることは言うまでもない。
【００８２】
情報及び信号が、種々の異なるあらゆる技術及び方法を用いて示され得る。例えば前述の説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【００８３】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【００８４】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【００８５】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、端末装置（ユーザ端末）内にあり得る。あるいは、プロセッサ及び記録媒体は、ディスクリート要素として端末装置５内にあっても良い。
【００８６】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。前述のものを組み合わせたものもまた、コンピュータ読み取り可能な媒体に含まれるべきである。
【００８７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００８８】
本発明は、無線基地局や無線端末や無線通信システムや無線通信方法に用いて好適である。
【符号の説明】
【００８９】
１０１・・・基地局装置、１０２・・・端末装置、２００・・・受信アンテナ、２０１・・・ＤＬ受信部、２０２・・・参照信号抽出部、２０３・・・制御情報抽出部、２０４・・・ＰＤＳＣＨ復調部、２０５・・・ＲＲＣ抽出部、２０６・・・チャネル推定部、２０７・・・ＣＱＩ生成部、２０８・・・ＲＲＣ設定部、２０９・・・ＰＵＣＣＨ生成部、２１０・・・ＰＵＳＣＨ生成部、２１１・・・ＵＬ送信部、２１２・・・送信アンテナ、７００・・・ＣＱＩテーブル設定部、７０１・・・ワイドバンドＣＱＩインデックス算出部、７０２・・・サブバンドＣＱＩインデックス算出部、７０３・・・ワイドバンドＣＱＩインデックス引き出し部、７０４・・・サブバンドＣＱＩインデックス引き出し部、７０５・・・オフセットレベル算出部、７０６・・・サブバンドＣＱＩ値引き出し部、７０７・・・ＣＱＩ情報結合部、９００・・・ＣＱＩテーブル設定部、９０１・・・ワイドバンドＣＱＩインデックス算出部、９０２・・・サブバンドＣＱＩインデックス算出部、９０３・・・ワイドバンドＣＱＩインデックス引き出し部、９０４・・・高精度サブバンドＣＱＩインデックス引き出し部、９０５・・・高精度ＣＱＩインデックス引き出し部、９０６・・・オフセットレベル算出部、９０７・・・サブバンドＣＱＩ値引き出し部、９０８・・・ＣＱＩ情報結合部、１１０１・・・受信アンテナ、１１０２・・・ＵＬ受信部、１１０３・・・制御情報抽出部、１１０４・・・ＣＱＩ抽出部、１１０５・・・ＲＲＣ抽出部、１１０６・・・スケジューリング部、１１０７・・・ＭＣＳ設定部、１１０８・・・ＰＤＳＣＨ生成部、１１０９・・・制御情報生成部、１１１０・・・ＲＲＣ生成部、１１１１・・・ＤＬ送信部、１１１２・・・送信アンテナ、１２００・・・ＣＱＩテーブル設定部、１２０１・・・ＣＱＩ情報分離部、１２０２・・・ワイドバンドＣＱＩ引き出し部、１２０３・・・オフセットレベル引き出し部、１２０４・・・ＣＱＩインデックス算出部、１２０５・・・サブバンドＣＱＩ引き出し部、１２０６・・・ＣＱＩ結合部、１３００・・・ＣＱＩテーブル設定部、１３０１・・・ＣＱＩ情報分離部、１３０２・・・ワイドバンドＣＱＩ引き出し部、１３０３・・・高精度ＣＱＩインデックス引き出し部、１３０４・・・オフセットレベル引き出し部、１３０５・・・高精度ＣＱＩインデックス算出部、１３０６・・・高精度サブバンドＣＱＩ引き出し部、１３０７・・・ＣＱＩ結合部、１６００・・・ＣＱＩテーブル設定部、１６０１・・・コードワード０ワイドバンドＣＱＩインデックス算出部、１６０２・・・コードワード０サブバンドＣＱＩインデックス算出部、１６０３・・・コードワード１ワイドバンドＣＱＩインデックス算出部、１６０４・・・コードワード１サブバンドＣＱＩインデックス算出部、１６０５・・・コードワード０ワイドバンドＣＱＩインデックス引き出し部、１６０６・・・コードワード０高精度サブバンドＣＱＩインデックス引き出し部、１６０７・・・コードワード１高精度ワイドバンドＣＱＩインデックス引き出し部、１６０８・・・コードワード１高精度サブバンドＣＱＩインデックス引き出し部、１６０９・・・高精度ＣＱＩインデックス引き出し部、１６１０・・・オフセットレベル算出部、１６１１・・・オフセットレベル算出部、１６１２・・・オフセットレベル算出部、１６１３・・・コードワード０サブバンドＣＱＩ引き出し部、１６１４・・・コードワード１ワイドバンドＣＱＩ引き出し部、１６１５・・・コードワード１サブバンドＣＱＩ引き出し部、１６１６・・・ＣＱＩ情報結合部、１７００・・・ＣＱＩテーブル設定部、１７０１・・・ＣＱＩ情報分離部、１７０２・・・コードワード０ワイドバンドＣＱＩ引き出し部、１７０３・・・高精度ＣＱＩインデックス引き出し部、１７０４・・・オフセットレベル引き出し部、１７０５・・・高精度ＣＱＩインデックス算出部、１７０６・・・高精度コードワード０サブバンドＣＱＩ引き出し部、１７０７・・・オフセットレベル引き出し部、１７０８・・・高精度ＣＱＩインデックス算出部、１７０９・・・高精度コードワード１ワイドバンドＣＱＩ引き出し部、１７１０・・オフセットレベル引き出し部、１７１１・・・高精度ＣＱＩインデックス算出部、１７１２・・・高精度コードワード１サブバンドＣＱＩ引き出し部、１７１３・・・ＣＱＩ結合部
【図１】
2015185888.tif 000003
【図２】
2015185888.tif 000004
【図３】
2015185888.tif 000005
【図４】
2015185888.tif 000006
【図５】
2015185888.tif 000007
【図６】
2015185888.tif 000008
【図７】
2015185888.tif 000009
【図８】
2015185888.tif 000010
【図９】
2015185888.tif 000011
【図１０】
2015185888.tif 000012
【図１１】
2015185888.tif 000013
【図１２】
2015185888.tif 000014
【図１３】
2015185888.tif 000015
【図１４】
2015185888.tif 000016
【図１５】
2015185888.tif 000017
【図１６】
2015185888.tif 000018
【図１７】
2015185888.tif 000019